(57)【特許請求の範囲】
【請求項１】
免震ビル等の一方の建物の壁面に形成された開口部と、この開口部の幅寸法よりも小さな幅寸法で、該開口部と目地部を介して設けられた他方の建物と、この他方の建物の前記一方の建物の開口部と対応する部位の床躯体に左右方向にスライド移動可能に取付けられた地震等によって前記目地部が広くなったり、狭くなっても覆うことができる方形の目地プレートを用いる床用目地装置と、前記他方の建物の前記一方の建物の開口部と対応する部位の壁面に一端部が水平方向に回動可能に取付けられ、他端部が前記一方の建物の開口部の壁面で前記目地プレートが地震等によってスライド移動しても、該目地プレートより外れることのない部位に水平方向に回動可能に取付けられた一対の伸縮可能な壁面用カバー装置とからなることを特徴とする目地装置。
【請求項２】
免震ビル等の一方の建物の壁面に袖壁を有する凹部あるいは突部形成して形成した開口部と、この開口部の幅寸法よりも小さな幅寸法で、該開口部と目地部を介して設けられた他方の建物と、この他方の建物の前記一方の建物の開口部と対応する部位の床躯体に左右方向にスライド移動可能に取付けられた地震等によって前記目地部が広くなったり、狭くなっても覆うことができる方形の目地プレートを用いる床用目地装置と、前記他方の建物の前記一方の建物の開口部と対応する部位の壁面に一端部が水平方向に回動可能に取付けられ、他端部が前記一方の建物の開口部の袖壁で、前記目地プレートが地震等によってスライド移動しても、該目地プレートより外れることのない部位に水平方向に回動可能に取付けられた一対の伸縮可能な壁面用カバー装置とからなることを特徴とする目地装置。
【発明の詳細な説明】
【０００１】
【発明の属する技術分野】
本発明は目地部を介して設けられた左右の建物の床部分の目地部と壁面部分の目地部とを覆う目地装置に関する。
【０００２】
【従来の技術】
一方の建物の壁面に凹部を形成して開口部を形成するとともに、該凹部に前後左右方向に目地部を有するように他方の建物が設けられた場合、床部分の目地部を覆う目地プレートを用いる床用目地装置と、壁面部分の目地部を前記一方の建物の壁面とほぼ同一面となる一対の伸縮可能な壁面用カバー装置とからなる目地装置を用いている。
【０００３】
【発明が解決しようとする課題】
従来の目地装置は地震等によって目地部が狭くなるように揺れ動いた場合、一対の伸縮可能な壁面用カバー装置が床用目地装置の目地プレートより外れ、隙間が生じたり、目地プレートと壁面用カバー装置とが干渉して損傷するという欠点があった。
【０００４】
本発明は以上のような従来の欠点に鑑み、地震等によって目地部が狭くなったり、広くなったりしても、目地プレートより一対の伸縮可能な壁面用カバー装置が外れることなく作動して、隙間や干渉による損傷を確実に防止して、安全に使用することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は免震ビル等の一方の建物の壁面に形成された開口部と、この開口部の幅寸法よりも小さな幅寸法で、該開口部と目地部を介して設けられた他方の建物と、この他方の建物の前記一方の建物の開口部と対応する部位の床躯体に左右方向にスライド移動可能に取付けられた地震等によって前記目地部が広くなったり、狭くなっても覆うことができる方形の目地プレートを用いる床用目地装置と、前記他方の建物の前記一方の建物の開口部と対応する部位の壁面に一端部が水平方向に回動可能に取付けられ、他端部が前記一方の建物の開口部の壁面で前記目地プレートが地震等によってスライド移動しても、該目地プレートより外れることのない部位に水平方向に回動可能に取付けられた一対の伸縮可能な壁面用カバー装置とで目地装置を構成している。
【０００７】
【発明の実施の形態】
以下、図面に示す実施の形態により、本発明を詳細に説明する。
【０００８】
図１ないし図９に示す本発明の第１の実施の形態において、１は免震ビル等の一方の建物２の壁面３と目地部４を介して渡り通路５を設けた他方の建物６との間の床部分および壁面部分を覆う本発明の目地装置で、この目地装置１は前記一方の建物２の壁面３に形成された、前記他方の建物６の渡り通路５の幅寸法よりも大きな幅寸法の袖壁７、７を有する凹部８を形成して形成した開口部９と、前記他方の建物６の渡り通路５の目地部４側の床躯体１０に左右方向にスライド移動可能に取付けられた、地震等によって前記目地部４が広くなったり、狭くなっても覆うことができる前記一方の建物２の床面２ａに支持される方形の目地プレート１１を用いる床用目地装置１２と、前記他方の建物６の渡り通路５の前記一方の建物２の開口部９と対応する部位の壁面５ａ、５ａに一端部が水平方向に回動可能に取付けられ、他端部が前記一方の建物２の開口部９の袖壁７、７で前記目地プレート１１が地震等によってスライド移動しても、該目地プレート１１より外れることのない部位に水平方向に可動可能に取付けられた一対の伸縮可能な壁面用カバー装置１３、１３とで構成されている。
【０００９】
前記床用目地装置１２は図４に示すように、前記他方の建物６の渡り通路５の目地部側の床躯体１０に複数本のビス１４等によって固定されたガイドレール１５と、このガイドレール１５にスライド移動可能に支持される支持部１６を有する、前記目地部４の寸法の約２倍の大きさの方形の目地プレート１１とで構成されている。
【００１０】
前記一対の伸縮可能な壁面用カバー装置１３、１３は図５および図６に示すように、伸縮可能な筒状に形成された３個のカバー体１７、１８、１９と、この３個のカバー体１７、１８、１９の両端部のカバー体１７、１９の外側端部に取付けられたヒンジ部材２０、２０と、前記３個のカバー体１７、１８、１９の両端部のカバー体１７、１９の外側端部に枢支され、中央部の中央枢支部２１に中央部のカバー体１８の端部より小さいカバー体１９が入り込むことができる支持体２２を介して枢支ピン２３で枢支される伸縮可能なパンタグラフ形状の伸縮リンク２４とで構成されている。
【００１１】
上記構成の目地装置１は地震等によって目地部４が狭くなるように揺れ動いた場合には図７に示すように、他方の建物の６の渡り通路５が凹部８内へ入り込むが、該渡り通路５と一体的に移動する床用目地装置１２の目地プレート１１の遊端部が一方の建物２の床面２ａ上をスライド移動して、その揺れ動きを吸収するとともに、一対の伸縮可能な壁面用カバー装置１３、１３は両端部のヒンジ部材２０、２０で回動し、収縮して目地プレート１１より外れることなく、その揺れ動きを吸収することができる。
【００１２】
目地部４が広くなるように揺れ動いた場合には図８に示すように、他方の建物６の渡り通路５が凹部８より離れるが、床用目地装置１２の目地プレート１１が渡り通路５と一体的に移動するので、その遊端部が一方の建物２の床面２ａ上をスライド移動して、その揺れ動きを吸収するとともに、一対の伸縮可能な壁面用カバー装置１３、１３は両端部のヒンジ部材２０、２０で回動し、伸長して目地プレート１１より外れることなく、その揺れ動きを吸収する。
【００１３】
他方の建物６の渡り通路５が左右方向に揺れ動いた場合には、図９に示すように床用目地装置１２の目地プレート１１は一方の建物２の開口部９によって固定的に支持されるが、他方の建物６の渡り通路５の床躯体１０と左右方向にスライド移動可能に取付けられているため、渡り通路５が左右方向にスライド移動するとともに、一対の伸縮可能な壁面用カバー装置１３、１３の両端部のヒンジ部材２０、２０で回動し、一方は収縮し、他方は伸長して、目地プレート１１より外れることなく、その揺れ動きを吸収する。
【００１４】
【発明の異なる実施の形態】
次に、図１０ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１０ないし図１２に示す本発明の第２の実施の形態において、前記本発明の第１の実施の形態と主に異なる点は、一方の建物２の開口部９を形成した部位の床面２ａに目地部４の寸法の約２倍の凹部２５を形成し、該凹部２５を覆う金属材製の支持レール２６を複数本のビス２７等によって固定するとともに、この支持レール２６に支持される目地プレート１１の遊端部側の上部を覆うカバープレート２８を、該支持レール２６に複数本のビス２９等で固定した床用目地装置１２Ａを用いた点で、このような床用目地装置１２Ａを用いて構成した目地装置１Ａにしても、前記本発明の第１の実施の形態と同様な作用効果が得られる。
【００１６】
図１３ないし図１５に示す本発明の第３の実施の形態において、前記本発明の第１の実施の形態と主に異なる点は、一方の建物２の壁面３に開口部９を形成するとともに、該開口部９の両端部に外方へ突出する袖壁７Ａ、７Ａを形成した点で、このように構成した目地装置１Ｂにしても、前記本発明の第１の実施の形態と同様な作用効果が得られる。
【００１７】
図１６ないし図１８に示す本発明の第４の実施の形態において、前記本発明の第１の実施の形態と主に異なる点は、伸縮できるように３枚のカバー板１７Ａ、１８Ａ、１９Ａを重ねた一対の伸縮可能な壁面用カバー装置１３Ａ、１３Ａを用いた点で、このような一対の伸縮可能な壁面用カバー装置１３Ａ、１３Ａを用いて構成した目地装置１Ｃにしても、前記本発明の第１の実施の形態と同様な作用効果が得られる。
【００１８】
図１９ないし図２１に示す本発明の第５の実施の形態において、前記本発明の第１の実施の形態と主に異なる点は、４角部が４個形成される２個の伸縮リンク２４Ａ、２４Ａと、この２個の伸縮リンク２４Ａ、２４Ａの中央枢支部３０、３０、３０、３０、３０に、枢支ピン３１、３１でそれぞれ枢支される支持バー３２、３２、３２、３２、３２と、この支持バー３２、３２、３２、３２、３２に複数本のビス３３によって固定される、板状に曲げられた伸縮可能な耐火帯等のカバー体３４とからなる一対の伸縮可能な壁面用カバー装置１３Ｂ、１３Ｂを用いた点で、このような一対の伸縮可能な壁面用カバー装置１３Ｂ、１３Ｂを用いて構成した目地装置１Ｄにしても、前記本発明の第１の実施の形態と同様な作用効果が得られる。
【００１９】
なお、前記本発明の各実施の形態では一方の建物に形成した開口部９に袖壁７、７を設けるものについて説明したが、本発明はこれに限らず、一方の建物の壁の厚さ寸法が大きい場合には、袖壁を設けることなく設置しても同様な作用効果が得られる。
【００２０】
【発明の効果】
以上の説明から明らかなように、本発明にあっては次に列挙する効果が得られる。
【００２１】
（１）免震ビル等の一方の建物の壁面に形成された開口部と、この開口部の幅寸法よりも小さな幅寸法で、該開口部と目地部を介して設けられた他方の建物と、この他方の建物の前記一方の建物の開口部と対応する部位の床躯体に左右方向にスライド移動可能に取付けられた地震等によって前記目地部が広くなったり、狭くなっても覆うことができる方形の目地プレートを用いる床用目地装置と、前記他方の建物の前記一方の建物の開口部と対応する部位の壁面に一端部が水平方向に回動可能に取付けられ、他端部が前記一方の建物の開口部の壁面で前記目地プレートが地震等によってスライド移動しても、該目地プレートより外れることのない部位に水平方向に回動可能に取付けられた一対の伸縮可能な壁面用カバー装置とで構成されているので、地震等によって目地部が広くなったり、狭くなったり、異なる左右方向に揺れ動いても、床用目地装置の目地プレートより一対の伸縮可能な壁面用カバー装置が外れるのを確実に防止することができる。
したがって、従来のように目地部が狭くなった場合に、目地プレートより壁面用カバー装置が外れて、隙間が生じて危険になったりする不具合を確実に防止することができる。
【００２２】
（２）前記（１）によって、免震ビル等の目地部の寸法を大きく設定する建物に使用することができる。
【００２３】
（３）前記（１）によって、目地プレートを左右方向にスライド移動可能に取付けるとともに、目地プレートが前後方向にスライド移動しても、一対の伸縮可能な壁面用カバー装置が目地プレートより外れないように取付けるだけでよいので容易に取付けることができる。
【００２４】
（４）請求項２も前記（１）〜（３）と同様な効果が得られる。
【図面の簡単な説明】
【図１】本発明の第１の実施の形態の平面図。
【図２】図１の２−２線に沿う断面図。
【図３】図１の３−３線に沿う断面図。
【図４】本発明の第１の実施の形態の床用目地装置の説明図。
【図５】本発明の第１の実施の形態の壁面用カバー装置の正面図。
【図６】図５の６−６線に沿う断面図。
【図７】本発明の第１の実施の形態の目地部が狭くなった動作説明図。
【図８】本発明の第１の実施の形態の目地部が広くなった動作説明図。
【図９】本発明の第１の実施の形態の左右方向に揺れ動いた動作説明図。
【図１０】本発明の第２の実施の形態の平面図。
【図１１】図１０の１１−１１線に沿う断面図。
【図１２】本発明の第２の実施の形態の床用目地装置の説明図。
【図１３】本発明の第３の実施の形態の平面図。
【図１４】図１３の１４−１４線に沿う断面図。
【図１５】図１３の１５−１５線に沿う断面図。
【図１６】本発明の第４の実施の形態の平面図。
【図１７】図１６の１７−１７線に沿う断面図。
【図１８】本発明の第４の実施の形態の壁面用カバー装置の平面図。
【図１９】本発明の第５の実施の形態の平面図。
【図２０】図１９の２０−２０線に沿う断面図。
【図２１】本発明の第５の実施の形態の壁面用カバー装置の設置状態の平面図。
【符号の説明】
１、１Ａ、１Ｂ、１Ｃ、１Ｄ：目地装置、
２：一方の建物、        ３：壁面、
４：目地部、            ５：渡り通路、
６：他方の建物、        ７、７Ａ：袖壁、
８：凹部、              ９：開口部、
１０：床躯体、          １１：目地プレート、
１２、１２Ａ：床用目地装置、
１３、１３Ａ、１３Ｂ：壁面用カバー装置、
１４：ビス、            １５：ガイドレール、
１６：支持部、
１７、１７Ａ、１８、１８Ａ、１９、１９Ａ：カバー体、
２０：ヒンジ部材、      ２１：中央枢支部、
２２：支持体、          ２３：枢支ピン、
２４、２４Ａ：伸縮リンク、
２５：凹部、            ２６：支持レール、
２７：ビス、            ２８：カバープレート、
２９：ビス、            ３０：中央枢支部、
３１：枢支ピン、        ３２：支持バー、
３３：ビス、            ３４：カバー体。
【図１】
0003603010.tif 000002
【図２】
0003603010.tif 000003
【図３】
0003603010.tif 000004
【図４】
0003603010.tif 000005
【図５】
0003603010.tif 000006
【図６】
0003603010.tif 000007
【図７】
0003603010.tif 000008
【図８】
0003603010.tif 000009
【図９】
0003603010.tif 000010
【図１０】
0003603010.tif 000011
【図１１】
0003603010.tif 000012
【図１２】
0003603010.tif 000013
【図１３】
0003603010.tif 000014
【図１４】
0003603010.tif 000015
【図１５】
0003603010.tif 000016
【図１６】
0003603010.tif 000017
【図１７】
0003603010.tif 000018
【図１８】
0003603010.tif 000019
【図１９】
0003603010.tif 000020
【図２０】
0003603010.tif 000021
【図２１】
0003603010.tif 000022